(57)【要約】【目的】海水を冷却水として使用する発電所や工場の運転に支障を来すことなく海水を供給できるようにクラゲをはじめとする海生物やゴミの除去を連続的且つ自動的に無人で行うことができる海水取水設備を提供する。【構成】大量のクラゲをはじめとする海生物やゴミ１２の到来に、水位差信号５が発生し、この信号を起動信号としロータリースクリーン８，連続吸排装置１及び真空発生装置２が起動する。真空発生装置２は、連続吸排装置１を減圧状態にして、除塵バケット１０に導くことで、流入してくる海生物やゴミ１２を、連続吸排装置１へ連続的に引き込み排出し大容量の槽３へ移送する。海生物やゴミ１２の到来が完了すると水位差信号５はなくなり、自動的に本設備は、停止し待機状態となる。【選択図】  図１
2004232379.tif 000002
【特許請求の範囲】
【請求項１】
取水路に設けられ、海水中の海生物やゴミを収集する網枠を複数個備えた回転ベルト状のロータリースクリーンと、
前記網枠に収集されたゴミと海水を共に排水する水路と、
前記水路の後に置かれてゴミと海水を収納分離し分離された海水を取水路へ還流する除塵バケットと、
前記取水路の水位と前記ロータリースクリーンでスクリーン処理された後の処理水の水位の差を検出してその差が所定以上に達した時に信号を発信する制御部と、
制御部から発信された前記信号を検知して前記除塵バケット内に収納されたゴミを吸引する吸引装置と、
前記吸引装置で収集された海生物やゴミを収納する除塵槽とを備えたことを特徴とする海水取水設備。
【発明の詳細な説明】
【０００１】
【発明の属する技術分野】
本発明は、海水を発電所や工場の冷却水として使用するために海水を取水する海水取水設備に関するものである。
【０００２】
【従来の技術】
従来、海岸に立地した発電所、工場などでは冷却水として海水を取水して利用している。海水を取水する場合、海水中にクラゲをはじめとする海生物やごみなどを海水とともに取水すると、スクリーンの目詰まりなどにより冷却水の安定供給に支障を来すので、海生物やゴミなどを除去している（特許文献１参照）。また、取水する海水にクラゲが侵入するのを防ぐためにクラゲ異常発生検知装置を設けることが知られている（特許文献２）。
【０００３】
図３は従来の海水取水設備の一例を示す概略図である。図３において、取水路２５から取り入れた海水中に含まれるクラゲをはじめとする海生物やゴミ１２の除塵装置としてバースクリーン９やロータリースクリーン８などの設備が配置されており、ロータリースクリーン８でこしとられた海生物やゴミ１２は、ロータリースクリーン８に内臓されている網枠１１によって海水を一部含みながら上昇し、排出用水路１４を通り除塵バケット１０へ排出される。除塵バケット１０で海水と海生物やゴミ１２とは完全に分離され、海水は取水路２５へ通じる還流口１５から取水路２５へ還流され、分離された海生物やゴミ１２は除塵バケット１０にたまり、作業員により専用ホイスト、又はクレーン等で吊上げられ、トラックに移され処理場まで運ばれる。
【０００４】
【特許文献１】
特開平８−２０９６６７号公報
【０００５】
【特許文献２】
特開平７−１７３８２１号公報
【０００６】
【発明が解決しようとする課題】
発電所などにおける通常の取水運転状態においては、この除塵バケット１０の処理能力は十分であるが、例えば、クラゲの大量発生による到来に対しては、除塵バケット１０の処理能力を超えクラゲやゴミ１２がオーバーフローしてしまい、クラゲをはじめとする海生物やゴミ１２は還流口１５を通り取水路２５へ戻されてしまう。これが繰り返されることで取水路２５のクラゲをはじめとする海生物やゴミ１２の濃度が高くなって網枠１１は次第に目詰まりを起こし、冷却水用ポンプ７における入口水の水量低下を招き、発電所の運転に支障をきたしてしまうという問題を有していた。
【０００７】
また、前記問題を処理するために、昼夜を問わず緊急呼出しが従業員にかけられ劣悪な条件下での除去作業をしなければならないという問題も合せ持っていた。
【０００８】
そこで、本発明は、海水を冷却水として使用する発電所や工場の運転に支障を来すことなく海水を供給できるようにクラゲをはじめとする海生物やゴミの除去を連続的且つ自動的に無人で行うことができる海水取水設備を提供するものである。
【０００９】
【課題を解決するための手段】
本発明の海水取水設備は、取水路に設けられ、海水中の海生物やゴミを収集する網枠を複数個備えた回転ベルト状のロータリースクリーンと、前記網枠に収集されたゴミと海水を共に排水する水路と、前記水路の後に置かれてゴミと海水を収納分離し分離された海水を取水路へ還流する除塵バケットと、前記取水路の水位と前記ロータリースクリーンでスクリーン処理された後の処理水の水位の差を検出してその差が所定以上に達した時に信号を発信する制御部と、制御部から発信された前記信号を検知して前記除塵バケット内に収納されたゴミを吸引する吸引装置と、前記吸引装置で収集された海生物やゴミを収納する除塵槽とを備えたことを特徴とする。
【００１０】
【発明の実施の形態】
本発明の海水取水設備は、取水路の水位とロータリースクリーンでスクリーン処理された後の処理水の水位の差を検出してその差が所定以上に達した時に目詰まりによる処理水の水量低下を検知して、除塵バケット内に収納されたゴミを吸引装置で吸引して海生物やゴミがオーバーフローして取水路に戻されるのを防ぐことによって、大量のクラゲをはじめとする海生物やゴミの到来に適時対応して海生物やゴミの除去を連続的且つ自動的に無人で行うことができる。
【００１１】
【実施例】
図１は、本発明の海水取水設備の一例を示す概略図である。図３と同一部材には同一符号を付しその説明は省略する。
【００１２】
図１において、取水路２５にクラゲをはじめとする海生物やゴミ１２が大量に到来すると、取水路２５に配置されたロータリースクリーン８の網枠１１が詰まりを引き起こす。その結果、スクリーン処理前の取水路２５の海水面１３とスクリーン処理後の海水面１６との間で水位差が生じる。海水面１３と海水面１６との間の水位差は、取水路２５の海水面１３のレベルをレベル計１７で検出するとともに、スクリーン処理後の海水面１６のレベルをレベル計１８で検出して演算される。
【００１３】
水位差が所定以上に達した時に水位差信号５を発信し、ロータリースクリーン８、連続吸排装置１、真空発生装置２を自動起動させる。真空発生装置２は配管４により連結している連続吸排装置１を減圧状態にする。連続吸排装置１に連結された配管６は除塵バケット１０と連結されており、真空を除塵バケット１０に導くことで、排出用水路１４から流入してくるクラゲをはじめとする海生物やゴミ１２を、連続吸排装置１へ引き込み、連続吸排装置１により連続的に大容量の除塵槽３へ排出する。
【００１４】
図２は本発明の海水取水設備の制御についての説明図である。図２において、電源２０はシステム制御装置１９を介し連続吸排装置１及び真空発生装置２へ配線２１で供給されている。
【００１５】
水位差信号５は、ロータリースクリーン８前の取水路２５の海水面１３の水位をレベル計１７で検出した値とロータリースクリーン８後の海水面１６の水位をレベル計１８で検出した値の差である。水位差信号５は、ロータリースクリーン制御装置２４に送られ、ある設定範囲を超えるとロータリースクリーン８の起動信号となる。この水位差信号５を直接、又はロータリースクリーン制御装置２４を介してシステム制御装置１９に送り込み、連続吸排装置１及び真空発生装置２の起動信号２２、２３として、連続吸排装置１及び真空発生装置２を起動させる。
【００１６】
停止に際しては、大量のクラゲをはじめとする海生物やゴミ１２の到来が完了し、その後海生物やゴミ１２が除去された後に網枠１１の目詰まりがなくなるので、取水路２５の海水面１３とロータリースクリーン８後の海水面１６の水位差がなくなることで、水位差信号５もなくなり、ロータリースクリーン８は自動停止するとともに、海水取水設備も自動停止し、次の機会まで待機状態となる。
【００１７】
【発明の効果】
本発明の海水取水設備によれば、いつ到来するとも解らない大量のクラゲをはじめとする海生物やゴミを検知し、除塵バケットをオバーフローさせることなく、連続的且つ自動的に大容量の除塵槽へ移送でき、発電所をはじめとする海水を冷却水などに利用する施設の運転に支障をきたすことなく安定運転に貢献できる。
【００１８】
また、本発明の海水取水設備は、無人化することができるため劣悪な条件下での従業員の作業環境改善にもつながり便利である。
【図面の簡単な説明】
【図１】本発明の海水取水設備の一例を示す概略図である。
【図２】本発明の海水取水設備の制御についての説明図である。
【図３】従来の海水取水設備の一例を示す概略図である。
【符号の説明】
１  連続吸排装置        ２  真空発生装置
３  除塵槽              ４  配管
５  海水面水位差信号    ６  配管
７  冷却水用ポンプ      ８  ロータリースクリーン
９  バースクリーン      １０  除塵バケット
１１  網枠                １２  海生物やゴミ
１３  取水路の海水面    １４  排出用水路
１５  還流口            １６  ロータリースクリーン後の海水面
１７  レベル計          １８  レベル計
１９  制御装置          ２０  電源
２１  配線                ２２  起動信号
２３  起動信号          ２４  ロータリースクリーン制御装置
２５  取水路
【図１】
2004232379.tif 000003
【図２】
2004232379.tif 000004
【図３】
2004232379.tif 000005